(57)【要約】      （修正有）【課題】シアン副画素（C）を追加して、シアンの彩度を向上させると共に、標準光源と類似する特性を有する混色を表現することができ、液晶表示装置の色表現性または色再現性を向上させることができる。【解決手段】本発明は４色液晶表示装置に関する。行列状に配列された複数の画素を含み、前記画素の各々は４原色副画素を含み、前記副画素のうちのいずれか一つは、前記残りの三つの副画素のうちのいずれか一つと同じ列または同じ行に位置する。この時、前記４原色副画素は、１×３行列または３×１行列状に配列され、前記行列のいずれか一行または一列には、第１副画素及び第２副画素が上下または左右に隣接している第１の副画素群が配置されている。  このような方式で、シアン副画素を追加して、シアンの彩度を向上させると共に、標準光源と類似する特性を有する混色を表現でき、これにより、液晶表示装置の色表現性または色再現性を向上させることができる。【選択図】図３ｄ
2006106659.tif 000002
【特許請求の範囲】
【請求項１】
行列状に配列された複数の画素を含む液晶表示装置であって、
前記画素の各々は４原色副画素を含み、
前記副画素のうちのいずれか一つは、前記残り三つの副画素のうちのいずれか一つと同じ列または同じ行に位置している、
液晶表示装置。
【請求項２】
前記４原色副画素は、１×３行列状または３×１行列状に配列され、
前記行列のいずれか一行または一列には、第１副画素及び第２副画素が上下または左右に隣接している第１の副画素群が配置されている、請求項１に記載の液晶表示装置。
【請求項３】
前記第１副画素と前記第２副画素の面積が同じである、請求項２に記載の液晶表示装置。
【請求項４】
前記第１副画素の面積が前記第２副画素の面積よりも大きい、請求項２に記載の液晶表示装置。
【請求項５】
前記第１の副画素群が配置されている列または行を除く残りの二つの列または行には、第３副画素及び第４副画素を含む第２の副画素群が配置され、
前記第３副画素と前記第４副画素の面積が同じである、請求項３または請求項４に記載の液晶表示装置。
【請求項６】
前記第１の副画素群が配置されている列または行を除く残りの二つの列または行には、第３副画素及び第４副画素を含む第２の副画素群が配置され、
前記第３副画素の面積が前記第４副画素の面積よりも大きい、請求項３または請求項４に記載の液晶表示装置。
【請求項７】
前記４原色副画素は、赤色、緑色、青色及びシアンの副画素を含む、請求項１に記載の液晶表示装置。
【請求項８】
前記赤色、緑色、青色及びシアンの副画素は、１×３行列または３×１行列状に配列され、
前記緑色及びシアンの副画素は、同じ列または同じ行に配置されている、請求項７に記載の液晶表示装置。
【請求項９】
前記緑色副画素の面積と前記シアン副画素の面積が同じである、請求項８に記載の液晶表示装置。
【請求項１０】
前記シアン副画素の面積は、前記緑色副画素の面積よりも小さい、請求項８に記載の液晶表示装置。
【請求項１１】
前記シアン副画素と前記緑色副画素の面積比は、１:３乃至１:２である、請求項１０に記載の液晶表示装置。
【請求項１２】
前記赤色副画素と青色副画素の面積が同じである、請求項９または請求項１０に記載の液晶表示装置。
【請求項１３】
前記青色副画素の面積が前記赤色副画素の面積よりも小さい、請求項９または請求項１０に記載の液晶表示装置。
【請求項１４】
前記青色副画素の面積は、前記赤色副画素に比べて８０％以上である、請求項１３に記載の液晶表示装置。
【請求項１５】
前記画素に光を供給する光源部をさらに含み、前記光源部の色温度は１０，０００K以上である、請求項１に記載の液晶表示装置。
【請求項１６】
前記光源部はＣＣＦＬである、請求項１５に記載の液晶表示装置。
【発明の詳細な説明】
【技術分野】
【０００１】
本発明は４色液晶表示装置に関し、特に、４原色副画素を有する液晶表示装置に関する。
【背景技術】
【０００２】
一般的な液晶表示装置（ＬＣＤ）は、画素電極が具備された薄膜トランジスタ（ＴＦＴ）表示板と、共通電極及びカラーフィルタが具備されたカラーフィルタ表示板、そして、二つの表示板の間に入っている誘電率異方性を有する液晶層を含む。画素電極は、行列状に配列され薄膜トランジスタなどのスイッチング素子に連結されて、一行ずつ順次にデータ電圧の印加を受ける。共通電極は、表示板の全面にわたって形成され共通電圧の印加を受ける。画素電極と共通電極及びその間の液晶層は、回路的には液晶蓄電器を形成し、液晶蓄電器は、これに連結されたスイッチング素子と共に画素を構成する基本単位となる。
【０００３】
このような液晶表示装置では、二つの電極に電圧を印加して液晶層に電界を生成し、この電界の強度を調節して、液晶層を通過する光の透過率を調節することによって所望の画像を得る。
【０００４】
このような液晶表示装置は、赤色、緑色及び青色の３原色のカラーフィルタを設け、光源から出る光を利用して色を表現する。
一方、液晶表示装置の応用分野が益々多様になり、近年、TV用として盛んに開発されている。TVに使われる液晶表示装置の場合、動画が殆どであり、極めて自然色に近い色相を実現するための試みがなされている。その一つとして、カラーフィルタを構成する感光膜の分散密度を上げて、色の再現力を一定の標準、例えばＥＢＵ（europe broadcasting union）規格に合せるための試みがなされている。
【０００５】
この時、青色を示す青色フィルタの色感特性が、その他の赤色及び緑色に比べて劣る傾向がある。これを補うために、光源として使われる冷陰極管（ＣＣＦＬ）自体の色相別含量比を調整して、青色の輝度を増加させる。
【発明の開示】
【発明が解決しようとする課題】
【０００６】
ところが、青色は色温度が高く、冷陰極管全体の色温度を上昇させる傾向があり、このため、赤色、緑色及び青色の混色からなるシアン、マゼンタ及び黄色が、自然色とは異なる暗い色に見えるようになる。特に、シアンの色感が黄色やマゼンタに比べて劣り、全体的に色相表現領域が低温表現中心に設定されている。これにより、シアンの彩度が黄色やマゼンタに比べて低くなる。また、低温色領域帯の表現能力は増すが、高温領域帯の色表現能力が劣化し、色相表現が偏向的なものとなる。
【０００７】
したがって、本発明が目的とする技術的課題は、このような従来技術の問題点を解決できる４色液晶表示装置を提供することにある。
【課題を解決するための手段】
【０００８】
このような技術的課題を解決するための本願第１発明の一実施例による液晶表示装置は、行列状に配列された複数の画素を含み、前記画素の各々は、４原色副画素を含み、前記副画素のうちのいずれか一つは、前記残りの三つの副画素のうちのいずれか一つと同一列または同一行に位置する。
【０００９】
本願第２発明は、第１発明において、前記４原色副画素は、１×３行列状または３×１行列状に配列され、前記行列のいずれか一行または一列には、第１副画素及び第２副画素が上下または左右に隣接している第１の副画素群が配置されるのが好ましい。
【００１０】
本願第３発明は、第２発明において、前記第１副画素と前記第２副画素の面積が同じである。
本願第４発明は、第２発明において、前記第１副画素の面積が前記第２副画素の面積よりも大きくなり得る。
【００１１】
本願第５発明は、第３または第４発明において、前記第１の副画素群が配置されている列または行を除く二つの列または行には、第３副画素及び第４副画素を含む第２の副画素群が配置されており、前記第３副画素と前記第４副画素の面積が同じである。一方、本願第６発明は、第３または第４発明において、前記第３副画素の面積が前記第４副画素の面積よりも大きくなり得る。
【００１２】
本願第７発明は、第１発明において、前記４原色副画素は、赤色、緑色、青色及びシアン副画素を含むことができる。
本願第８発明は、第１発明において、前記赤色、緑色、青色及びシアンの副画素は、１×３行列状または３×１行列状に配列され、前記緑色及びシアンの副画素は、同じ列または同じ行に配置されているのが好ましい。
【００１３】
本願第９発明は、第１発明において、前記緑色副画素の面積と前記シアン副画素の面積が同じである。
本願第１０発明は、第８発明において、前記シアン副画素の面積が前記緑色副画素の面積よりも小さいことがある。
【００１４】
本願第１１発明は、第１０発明において、前記シアン副画素と前記緑色副画素の面積比は１:３乃至１：２であり得る。
本願第１２発明は、第９または第１０発明において、前記赤色副画素と青色副画素の面積が同じである。
【００１５】
本願第１３発明は、第９または第１０発明において、前記青色副画素の面積が前記赤色副画素の面積よりも小さいことがある。
本願第１４発明は、第１３発明において、前記青色副画素の面積は、前記赤色副画素に比べて８０％以上であり得る。
【００１６】
本願第１５発明は、第１発明において、前記液晶表示装置は、前記画素に光を供給する光源部をさらに含み、前記光源部の色温度は１０，０００K以上であるのが好ましい。
本願第１６発明は、第１５発明において、前記光源部はＣＣＦＬ（cold cathode fluorescent lamp）であるのが好ましい。
【発明の効果】
【００１７】
本発明によれば、シアン副画素（C）を追加することで、シアンの彩度を向上させると共に標準光源と類似する特性を有する混色を表現することができ、これにより、液晶表示装置の色表現性または色再現性を向上させることができる。
【発明を実施するための最良の形態】
【００１８】
以下、添付した図面を参照して、本発明の実施例に対して、本発明が属する技術分野における通常の知識を有する者が容易に実施することができるように詳細に説明する。しかし、本発明は、多様な形態で実現することができ、ここで説明する実施例に限定されない。
【００１９】
図面は、各種層及び領域を明確に表現するために、厚さを拡大して示している。明細書全体を通じて類似した部分については同一な図面符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００２０】
本発明の実施例による液晶表示装置に対して図面を参考にして詳細に説明する。
図１は本発明の一実施例による液晶表示装置のブロック図であり、図２は本発明の一実施例による液晶表示装置の一つの副画素に対する等価回路図である。
【００２１】
図１に示すように、本発明の一実施例による液晶表示装置は、液晶表示板組立体３００及びこれに連結されたゲート駆動部４００、データ駆動部５００、データ駆動部５００に連結された階調電圧生成部８００、そして、これらを制御する信号制御部６００を含む。
【００２２】
液晶表示板組立体３００は、等価回路的には、複数の表示信号線（G１-Gn、D１-Dm）と、これに連結され大略行列状に配列された複数の副画素を含む。
表示信号線（G１-Gn、D１-Dm）は、ゲート信号（走査信号とも言う）を伝達する複数のゲート線（G１-Gn）と、データ信号を伝達するデータ信号線またはデータ線（D１-Dm）を含む。ゲート線（G１-Gn）は、大略行方向にのびて互いにほぼ平行であり、データ線（D１-Dm）は、大略列方向にのびて互いにほぼ平行である。
【００２３】
各副画素は、表示信号線（G１-Gn、D１-Dm）に連結されたスイッチング素子（Q）と、これに連結された液晶蓄電器（CLC）及び維持蓄電器（CST）を含む。維持蓄電器（CST）は必要に応じて省略することができる。
【００２４】
スイッチング素子（Q）は、下部表示板１００に具備され、三端子素子として、その制御端子及び入力端子は、各々ゲート線（G１-Gn）及びデータ線（D１-Dm）に連結され、出力端子は、液晶蓄電器（CLC）及び維持蓄電器（CST）に連結されている。
【００２５】
液晶蓄電器（CLC）は、下部表示板１００の画素電極１９０と上部表示板２００の共通電極２７０を二つの端子とし、二つの電極１９０、２７０の間の液晶層３は誘電体として働く。画素電極１９０は、スイッチング素子（Q）に連結され、共通電極２７０は、上部表示板２００の全面に形成され共通電圧（Vcom）の印加を受ける。図２とは異なって、共通電極２７０が下部表示板１００に具備される場合もあり、そのときは、二つの電極１９０、２７０が全て線形または棒形に形成される。
【００２６】
維持蓄電器（CST）は、下部表示板１００に具備された別個の信号線（図示せず）と画素電極１９０が重なって形成され、この別個の信号線には、共通電圧（Vcom）などの定められた電圧が印加される。ところが、維持蓄電器（CST）は、画素電極１９０が絶縁体を媒介としてすぐ上の前段ゲート線と重なって形成されることができる。
【００２７】
一方、色表示を実現するためには、各副画素が色相を表示できることが要求されるが、これは、画素電極１９０に対応する領域にカラーフィルタ２３０を備えることによって可能となる。図２で、カラーフィルタ２３０は、上部表示板２００の該当領域に設けられているが、これとは異なって、下部表示板１００の画素電極１９０の上または下にも設けられる。
【００２８】
カラーフィルタの色相は、光の三原色である赤色、緑色及び青色のいずれか一つであるか、或いは前記三原色と補色関係であるシアン、マゼンタ、黄色のいずれか一つであるのが好ましい。
【００２９】
前記６色は以下の表で定義する色座標上の色範囲内にあることが好ましい。表で、左側列は６色を示し、右側列は左側列の該当色が色座標上に位置できる範囲を以下の表１示す。
【００３０】
【表１】
2006106659.tif 000003
前記表１は次の文献に基づいて作成したものである。
【００３１】
[文献]Billmeyer and Saltzman、Principles of Color Technology、２nd Ed.、John Wiley&Sons、Inc.、pp.５０.
以下では、各副画素をその副画素が表示する色相に応じて赤色副画素、緑色副画素、青色副画素及びシアン副画素と称し、図面符号は各々R、G、B、Cで示す。なお、R、G、B及びCは、その副画素が示す色相と、その色相に該当する映像データを示すときにも使われる。
【００３２】
液晶表示板組立体３００の二つの表示板１００、２００のうちの少なくとも一つの外側面には、光を偏光する偏光子（図示せず）が付着されている。
再び図１を参照すれば、階調電圧生成部８００は、副画素の透過率と関連する二組の複数階調電圧を生成する。二組のうちの一組は共通電圧（Vcom）に対してプラスの値を有し、もう一組はマイナスの値を有する。
【００３３】
ゲート駆動部４００は、液晶表示板組立体３００のゲート線（G１-Gn）に連結されて、外部からのゲートオン電圧（Von）とゲートオフ電圧（Voff）の組み合わせからなるゲート信号をゲート線（G１-Gn）に印加する。
【００３４】
データ駆動部５００は、液晶表示板組立体３００のデータ線（D１-Dm）に連結されて、階調電圧生成部８００からの階調電圧を選択してデータ信号として副画素に印加し、通常、複数の集積回路で形成される。
【００３５】
信号制御部６００は、ゲート駆動部４００及びデータ駆動部５００などの動作を制御する制御信号を生成し、各該当する制御信号をゲート駆動部４００及びデータ駆動部５００に提供する。
【００３６】
以下、このような液晶表示装置の表示動作についてもう少し詳細に説明する。
信号制御部６００は、外部のグラフィック制御機（図示せず）から三色映像信号（R、G、B）及びその表示を制御する入力制御信号、例えば垂直同期信号（Vsync）と水平同期信号（Hsync）、メーンクロック（MCLK）、データイネーブル信号（DE）などの提供を受ける。信号制御部６００は、入力制御信号に基づいて、ゲート制御信号（CONT１）及びデータ制御信号（CONT２）などを生成し、映像信号（R、G、B）を液晶表示板組立体３００の動作条件に合わせて４色映像信号（R´、B´、G´、C）に適切に処理した後、ゲート制御信号（CONT１）をゲート駆動部４００に送り、データ制御信号（CONT２）及び処理した映像信号（R´、G´、B´、C）はデータ駆動部５００に送る。
【００３７】
ゲート制御信号（CONT１）は、ゲートオンパルス（ゲートオン電圧区間）の出力開始を指示する垂直同期開始信号（STV）、ゲートオンパルスの出力時期を制御するゲートクロック信号（CPV）及びゲートオンパルスの幅を限定する出力イネーブル信号（OE）などを含む。
【００３８】
データ制御信号（CONT２）は、映像データ（R´、G´、B´、C）の入力開始を指示する水平同期開始信号（STH）と、データ線（D１-Dm）に該当データ電圧の印加を指示するロード信号（LOAD）、共通電圧（Vcom）に対するデータ電圧の極性（以下、“共通電圧に対するデータ電圧の極性”を略して“データ電圧の極性”と言う）を反転する反転信号（RVS）及びデータクロック信号（HCLK）などを含む。
【００３９】
データ駆動部５００は、信号制御部６００からのデータ制御信号（CONT２）に従って一つの行の画素に対応する映像データ（R´、G´、B´、C）を順次に受信してシフトさせ、階調電圧生成部８００からの階調電圧のうちの各映像データ（R´、G´、B´、C）に対応する階調電圧を選択することによって、映像データ（R´、G´、B´、C）を該当データ電圧に変換する。
【００４０】
ゲート駆動部４００は、信号制御部６００からのゲート制御信号（CONT１）に従ってゲートオン電圧（Von）をゲート線（G１-Gn）に印加し、このゲート線（G１-Gn）に連結されたスイッチング素子（Q）をターンオンさせれば、データ線（D１-Dm）に印加されたデータ電圧がターンオンされたスイッチング素子（Q）を通じて該当副画素に印加される。
【００４１】
副画素に印加されたデータ電圧と共通電圧（Vcom）の差は、液晶蓄電器（CLC）の充電電圧、つまり、画素電圧として現れる。液晶分子は、画素電圧の大きさに応じてその配列が異なる。これにより、液晶層３を通過する光の偏光が変化する。このような偏光の変化は、表示板１００、２００に付着された偏光子（図示せず）によって光透過率の変化として現れる。
【００４２】
１水平周期（または１Ｈ）[水平同期信号（Hsync）、データイネーブル信号（DE）、ゲートクロック（CPV）の一周期]が経過すれば、データ駆動部５００及びゲート駆動部４００は、次の行の画素に対して同じ動作を繰り返す。このような方法で、１フレーム（frame）期間中に全てのゲート線（G１-Gn）に対して順次にゲートオン電圧（Von）を印加し、全ての画素にデータ電圧を印加する。１フレームが終了すれば、次のフレームが始まり、各画素に印加されるデータ電圧の極性が直前フレームでの極性と逆になるように、データ駆動部５００に印加される反転信号（RVS）の状態が制御される（フレーム反転）。この時、１フレーム期間内でも反転信号（RVS）の特性によって一つのデータ線を通じて流れるデータ電圧の極性が変わったり（コラム反転）、一つの画素行に印加されるデータ電圧の極性も互いに異なることがあり得る（ドット反転）。
【００４３】
以下では、本発明の一実施例による液晶表示装置の画素配置について図面を参考にして詳細に説明する。
図３a乃至図３dは本発明の実施例による液晶表示装置の副画素の空間的配置を示す図面であり、図４は本発明の一実施例による液晶表示装置の副画素配列による色座標を簡単に示す図面である。
【００４４】
本発明による実施例では、赤色、緑色、青色の副画素（R、G、B）と共にシアン副画素（C）が画像の基本単位、つまり一つの画素を構成する。
図３a乃至図３dに示したように、一つの画素を構成する副画素などは、ストライプ配列をとっており、左右側に赤色及び青色の副画素（R、B）が各々位置し、中央に緑色及びシアンの副画素（G、C）が上下に位置している。
【００４５】
図３aの場合、各副画素（R、G、C、B）は、横方向の幅が同じであり、中央に位置した緑色副画素（G）とシアン副画素（C）の面積が同じであり、図３bの場合には、各副画素（R、G、C、B）は、横方向の幅が同じであり、緑色副画素（G）の面積がシアン副画素（C）よりも大きい。
【００４６】
図３cの場合、青色副画素（B）の幅が赤色及び緑色の副画素（R、G）に比べて小さく、図３dの場合には、青色副画素（B）の幅が小さく、シアン副画素（C）の面積が緑色副画素（G）の面積よりも小さい。
【００４７】
図４は３原色副画素を有する液晶表示装置（以下、“３原色液晶表示装置”と言う）が示す色座標と、４原色副画素を有する液晶表示装置（以下、“４原色液晶表示装置”と言う）が示す色座標である。
【００４８】
図面で、馬蹄模様で表示されている色相を境界として、その中に表示装置が表せる範囲が三角形または四角形で表示されている。即ち、３点１、２、３からなる三角形が３原色液晶表示装置の色座標であり、４点１、a‘、２、３からなる四角形が４原色液晶表示装置の色座標である。ここで、図示されている４原色液晶表示装置の色座標は、図３dに示した基本配置を使用して得られた色座標であって、シアン副画素（C）の面積を緑色副画素（G）に比べて４/５程度とし、青色副画素（B）の面積を赤色副画素（R）に比べて４/５程度として求めたことである。
【００４９】
この時、３点（a、b、c）は、３原色液晶表示装置において３原色を混合して作製されるシアン、マゼンタ及び黄色を各々示しており、３点（a´、b´、c´）は、４原色液晶表示装置のシアン、マゼンタ及び黄色を示しているが、但し、シアンが示す点（a´）は混色ではなく純色である。
【００５０】
一方、ある色相に対する彩度は、馬蹄模様の境界へ向かうほど大きくなるが、シアンの場合、点（a）から点（a´）に移動して彩度が増加することが分かり、これによって、色を表現できる範囲、つまり色再現性が拡張される。このような色再現性は、マゼンタ副画素または黄色副画素を追加することよりも更に拡張されることが分かる。即ち、青色と赤色の連結線と、緑色と赤色の連結線は、馬蹄形状の近くに位置しているので、拡張には限界があり、拡張をしてもシアン副画素を追加することよりは劣る。
【００５１】
マゼンタ及び黄色の場合にも、青色または緑色に偏って位置した点（b、c）が中心に移動するにつれて標準光源に近い色相を示す。
より詳細には、一つの副画素の占める面積が小さいほど、その副画素が示す色相から混色の座標が遠くなり、占める面積が大きいほど、その副画素が示す色相に混色の座標が近くなる。例えば、緑色と赤色の間に位置した点の場合、緑色副画素（G）の面積が大きくなるほど緑色に近くなり、面積が小さいほど緑色から遠くなる。一方、純色の場合には、副画素の占める面積に関係なく、カラーフィルタ２３０を構成する感光膜の特性にのみ依存する。
【００５２】
ここで、図３aの配列において、緑色副画素（G）の面積が３原色液晶表示装置に比べて小さいので、緑色と赤色の混色を示す位置が大略点（c“）に位置し、青色副画素（B）の場合には、３原色液晶表示装置と面積が同じであるので、赤色と青色の混色は点（b）にそのまま位置している。
【００５３】
図３bの配列においては、緑色副画素（G）の面積がより大きくなり、点（c"）から点（c´）に混色の位置が移動し、図３cの配列においては、青色副画素（Ｂ）の面積が減り混色が点（b´）に位置する。
【００５４】
また、二つの白色座標（W、W´）は、３原色を混色したときに定められる座標であって、例えば白色座標（W）は、二つの点（１、b）を連結する直線と、二つの点（３、a）を連結する直線との交点で決められ、白色座標（W´）は、二つの点（１、b´）を連結する直線と、二つの点（３、a´）を連結する直線との交点で決められる。
【００５５】
このような方式で、シアン副画素（C）を追加することによって、白色座標（W´）が放送規格である標準光源と類似する位置に置かれるようになり、４原色の混合による混色も標準光源が有する特性を表現できることが分かる。例えば、点（c）に該当する座標は、黄緑色であって純粋な黄色でないのに対し、点（c´）の座標に該当する色相は純粋な黄色である。
【００５６】
そして、前述したように、原色としてシアンを追加することで、混色によるシアンよりも彩度が改善される。その結果、全体的に表示装置の色表現領域が低い色温度から高い色温度領域にまで均等に分散される。
【００５７】
一方、図５a乃至図８dは各々図３a乃至図３dに示した基本配置の変形例である。図５a乃至図５dは図３aに示した基本配置の変形例であり、各副画素（R、G、C、B）は、横方向の幅が同じであり、中央に位置した緑色副画素（G）とシアン副画素（C）の面積が同じである。そして、赤色副画素（Ｒ）と青色副画素（Ｂ）との位置が入れ替わり、緑色副画素（Ｇ）とシアン副画素（Ｃ）との位置が入れ替わる。
【００５８】
図６a乃至図６dは図３bに示した基本配置の変形例であり、各副画素（R、G、C、B）は、横方向の幅が同じであり、緑色副画素（G）の面積がシアン副画素（C）よりも大きい。そして、赤色副画素（Ｒ）と青色副画素（Ｂ）との位置が入れ替わり、緑色副画素（Ｇ）とシアン副画素（Ｃ）との位置が入れ替わる。
【００５９】
図７a乃至図７dは図３cに示した基本配置の変形例であり、青色副画素（B）の幅が赤色及び緑色の副画素（R、G）に比べて小さい。そして、赤色副画素（Ｒ）と青色副画素（Ｂ）との位置が入れ替わり、緑色副画素（Ｇ）とシアン副画素（Ｃ）との位置が入れ替わる。
【００６０】
図８a乃至図８dは図３dに示した基本配置の変形例であり、青色副画素（B）の幅が小さく、シアン副画素（C）の面積が緑色副画素（G）の面積よりも小さい。して、赤色副画素（Ｒ）と青色副画素（Ｂ）との位置が入れ替わり、緑色副画素（Ｇ）とシアン副画素（Ｃ）との位置が入れ替わる。
【００６１】
前記基本配置及び変形例は、緑色副画素とシアン副画素（G、C）を中央に配置しているが、周縁に位置することもできる。
また、液晶表示装置の光源として用いられる冷陰極管の色温度は、１０，０００K（絶対温度）以上の高色温度を有することが好ましい。
【００６２】
前述したように、シアン副画素（C）を追加し、シアンの彩度を向上させると共に、標準光源と類似する特性を有する混色を表現することができ、これにより、液晶表示装置の色表現性または色再現性を向上させることができる。
【００６３】
以上、本発明の好ましい実施例について詳細に説明したが、本発明の権利範囲はこれに限定されず、特許請求の範囲で定義している本発明の基本概念を利用した当業者の様々な変形及び改良形態もまた本発明の権利範囲に属するものである。
【図面の簡単な説明】
【００６４】
【図１】本発明の一実施例による液晶表示装置のブロック図である。
【図２】本発明の一実施例による液晶表示装置の一つの画素に対する等価回路図である。
【図３ａ】本発明の実施例による液晶表示装置の副画素の空間的な配置を示す図面である（１）。
【図３ｂ】本発明の実施例による液晶表示装置の副画素の空間的な配置を示す図面である（２）。
【図３ｃ】本発明の実施例による液晶表示装置の副画素の空間的な配置を示す図面である（３）。
【図３ｄ】本発明の実施例による液晶表示装置の副画素の空間的な配置を示す図面である（４）。
【図４】本発明の一実施例による液晶表示装置の副画素配列による色座標を簡単に示す図面である。
【図５ａ】図３aに示した基本配置の変形例である（１）。
【図５ｂ】図３aに示した基本配置の変形例である（２）。
【図５ｃ】図３aに示した基本配置の変形例である（３）。
【図５ｄ】図３aに示した基本配置の変形例である（４）。
【図６ａ】図３bに示した基本配置の変形例である（１）。
【図６ｂ】図３bに示した基本配置の変形例である（２）。
【図６ｃ】図３bに示した基本配置の変形例である（３）。
【図６ｄ】図３bに示した基本配置の変形例である（４）。
【図７ａ】図３cに示した基本配置の変形例である（１）。
【図７ｂ】図３cに示した基本配置の変形例である（２）。
【図７ｃ】図３cに示した基本配置の変形例である（３）。
【図７ｄ】図３cに示した基本配置の変形例である（４）。
【図８ａ】図３dに示した基本配置の変形例である（１）。
【図８ｂ】図３dに示した基本配置の変形例である（２）。
【図８ｃ】図３dに示した基本配置の変形例である（３）。
【図８ｄ】図３dに示した基本配置の変形例である（４）。
【符号の説明】
【００６５】
３００  液晶表示板組立体
４００  ゲート駆動部
５００  データ駆動部
８００  階調電圧生成部
６００  信号制御部
１００、２００  表示板
１９０  画素電極
２７０  共通電極
２３０  カラーフィルタ
【図１】
2006106659.tif 000004
【図２】
2006106659.tif 000005
【図３ａ】
2006106659.tif 000006
【図３ｂ】
2006106659.tif 000007
【図３ｃ】
2006106659.tif 000008
【図３ｄ】
2006106659.tif 000009
【図４】
2006106659.tif 000010
【図５ａ】
2006106659.tif 000011
【図５ｂ】
2006106659.tif 000012
【図５ｃ】
2006106659.tif 000013
【図５ｄ】
2006106659.tif 000014
【図６ａ】
2006106659.tif 000015
【図６ｂ】
2006106659.tif 000016
【図６ｃ】
2006106659.tif 000017
【図６ｄ】
2006106659.tif 000018
【図７ａ】
2006106659.tif 000019
【図７ｂ】
2006106659.tif 000020
【図７ｃ】
2006106659.tif 000021
【図７ｄ】
2006106659.tif 000022
【図８ａ】
2006106659.tif 000023
【図８ｂ】
2006106659.tif 000024
【図８ｃ】
2006106659.tif 000025
【図８ｄ】
2006106659.tif 000026